【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
電気的エネルギー及び熱的エネルギーの少なくとも１つを発生させるパワー・システムであって、
少なくとも１つの槽と；
反応物を含むショットと、ここで、その反応物は、
ａ）発生期のＨ２Ｏを含む触媒又は触媒の源の少なくとも１つ；
ｂ）Ｈ２Ｏ又はＨ２Ｏの源の少なくとも１つ；
ｃ）原子水素又は原子水素の源の少なくとも１つ、及び、
ｄ）導体又は導電性のマトリクスの少なくとも１つ、を含み；
少なくとも１つのショット噴射システムと；
そのショットが発光プラズマ及び発熱プラズマの少なくとも１つを形成するようにさせる少なくとも１つのショット点火システムと；
反応物の反応生成物を回収するためのシステムと；
反応生成物から追加の反応物を再生し、及び、追加のショットを形成するための、少なくとも１つの再生システムと、
ここで、その追加の反応物は、
ａ）発生期のＨ２Ｏを含む触媒又は触媒の源の少なくとも１つ；
ｂ）Ｈ２Ｏ又はＨ２Ｏの源の少なくとも１つ；
ｃ）原子水素又は原子水素の源の少なくとも１つ、及び、
ｄ）導体又は導電性のマトリクスの少なくとも１つ、を含み；
ここで、その再生システムは、溶融された反応物を形成する溶鉱炉を含むペレタイザーと、その溶融された反応物にＨ２及びＨ２Ｏを添加するシステムと、溶融ドリッパー、及び、ショットを形成するためのクーラントと、を含み、
電気的パワー及び／又は熱的パワーへの光及び熱的出力の少なくとも１つの出力システム又はパワー・コンバーターの少なくとも１つと、を含む、パワー・システム。
【請求項２】
前記ショット点火システムが、
ａ）そのショットを閉じ込める１セットの電極の少なくとも１つと、及び、
ｂ）高電流電気的エネルギーのショート・バーストをデリバリするための電気的パワーの源と、を含む、請求項１に記載のパワー・システム。
【請求項３】
前記ショット点火システムが、オープン回路を形成するために分離される１セットの電極の少なくとも１つを含み、ここで、そのオープン回路は、その高電流が点火を達成するために流れることを引き起こすようにショットの噴射によってクローズされることを特徴とする、請求項２に記載のパワー・システム。
【請求項４】
高電流電気的エネルギーのショート・バーストをデリバリするための電気的パワーの源が、
１００Ａから１，０００，０００Ａ、  １ｋＡから１００，０００Ａ、  １０ｋＡから５０ｋＡの少なくとも１つの範囲内にある、高ＡＣ、ＤＣ、又は、ＡＣ−ＤＣ混合の電流を引き起こすように選択される電圧と；
１００Ａ／ｃｍ２から１，０００，０００Ａ／ｃｍ２、  １０００Ａ／ｃｍ２から１００，０００Ａ／ｃｍ２、  及び２０００Ａ／ｃｍ２から５０，０００Ａ／ｃｍ２の少なくとも１つの範囲内のＤＣ又はピークＡＣ電流と；
その電圧が、固体燃料又はエネルギー物質の導電率により決定され、ここで、その電圧は、固体燃料又はエネルギー物質サンプルの抵抗に所望の電流を掛け算することにより与えられること、
そのＤＣ又はピークＡＣ電圧が、０．１Ｖから５００ｋＶ、  ０．１Ｖから１００ｋＶ、  及び１Ｖから５０ｋＶの少なくとも１つの範囲内にあること；及び、
そのＡＣ周波数が、０．１Ｈｚから１０ＧＨｚ、  １Ｈｚから１ＭＨｚ、  １０Ｈｚから１００ＫＨｚ、  及び１００Ｈｚから１０ＫＨｚの少なくとも１つの範囲内にあること、の少なくとも１つを含む、請求項２に記載のパワー・システム。
【請求項５】
その点火システムが、電気的パワーの源、バスバー、スリップリング、シャフト、軸受、電極、ベアリング構造支持体、ベース支持体、ローラー・ドライブ・プーリ、モーター・ドライブ・プーリ、ベルト、ベルト・テンショナー、電動機軸、ローラー・プーリ・ベアリング、モーター・ベアリング、及び、少なくとも１つのモーターを含む、請求項１に記載のパワー・システム。
【請求項６】
そのショットが、銀、銅、及び、水和物の少なくとも１つを含むことを特徴とする、請求項１に記載のパワー・システム。
【請求項７】
そのショットが、銀、銅、吸収される水素、及び水の少なくとも１つを含むことを特徴とする、請求項１に記載のパワー・システム。
【請求項８】
その噴射システムが、増大されたレールガン及び圧縮空気噴射装置の少なくとも１つを含み、その圧縮空気噴射装置が、そのショットを推進する高圧フロー・ガスの源を含むことを特徴とする、請求項１に記載のパワー・システム。
【請求項９】
その噴射システムは、更に、増大されたレールガン及び圧縮空気噴射装置の少なくとも１つへとショットを供給するための少なくとも１つのトランスポータを含むことを特徴とする、請求項８に記載のパワー・システム。
【請求項１０】
ペレタイザーは、ヒーターによって加熱される第１の断熱槽と、第１の断熱槽のために溶融物を受け取る第２の断熱槽と、ドリッパーと、及び、ショットを形成するための水リザーバーと、を含むことを特徴とする、請求項９に記載のパワー・システム。
【請求項１１】
反応パワー出力の少なくとも１つのパワー・コンバーターは、光起電力コンバーター、光電子コンバーター、プラズマダイナミック・コンバーター、熱電子コンバーター、熱電コンバーター、スターリング・エンジン、ブレイトン・サイクルエンジン、ランキン・サイクルエンジン、及び、熱エンジンのグループの少なくとも１つと、及び、ヒーターとを含むことを特徴とする請求項１に記載のパワー・システム。
【請求項１２】
光起電力セルは、直列に重ねられるかもしれない複数の接合を含む多接合セルであり、又は、その接合は、独立若しくは電気的に並列であり、ここで、独立の接合は、機械的にスタックされ若しくはウェーハ結合される、基板、グリッド接続、及び、冷却システムであってよいことを特徴とする請求項１１に記載のパワー・システム。
【請求項１３】
光起電力コンバーターは、残りの光がスタック内にある次のミラーに伝わるところ、対応する光起電力セルへ、そのスタックの各ミラーの上の入射光の一部を向かせる半反射及び半透明のスタックされたシリーズを含む配光システムを含むことを特徴とする請求項１１に記載のパワー・システム。
【請求項１４】
光起電力コンバーターは、更に、熱交換器及びチラーを含むことを特徴とする請求項１１に記載のパワー・システム。
【請求項１５】
電気的エネルギー及び熱的エネルギーの少なくとも１つを発生させるパワー・システムであって、
少なくとも１つの槽と；
反応物を含むスラリーと、ここで、該反応物は、
ａ）発生期のＨ２Ｏを含む触媒又は触媒の源の少なくとも１つ；
ｂ）Ｈ２Ｏ又はＨ２Ｏの源の少なくとも１つ；
ｃ）原子水素又は原子水素の源の少なくとも１つ；及び、
ｄ）導体及び導電性のマトリクスの少なくとも１つ、を含み；
ロータリー・スラリー・ポンプを含む回転するローラー電極を含む少なくとも１つのスラリー噴射システムと；
ショットが発光プラズマを形成するように惹起する少なくとも１つのスラリー点火システムと、
反応物の反応生成物を回収するシステムと、
反応生成物から追加の反応物を再生して、追加のスラリーを形成する少なくとも１つの再生システムと、
ここで、その追加のスラリーは、
ａ）発生期のＨ２Ｏを含む触媒又は触媒の源の少なくとも１つ；
ｂ）Ｈ２Ｏ又はＨ２Ｏの源の少なくとも１つ；
ｃ）原子水素又は原子水素の源の少なくとも１つ；及び、
ｄ）導体及び導電性のマトリクスの少なくとも１つ、を含み；
ここで、その再生システムは、溶融された反応物を形成する溶鉱炉を含むペレタイザーと、その溶融された反応物にＨ２及びＨ２Ｏを添加するシステムと、溶融ドリッパー、及び、ショットを形成するためのクーラントと、を含み、
電気的パワー及び／又は熱的パワーへの光及び熱的出力の少なくとも１つの、出力システム又はパワー・コンバーターの少なくとも１つと、を含むパワー・システム。
【請求項１６】
ショットが発光プラズマを形成するように惹起するための点火システムが、高電流電気エネルギーのショート・バーストをデリバリするため電気的パワーの源を含むことを特徴とする請求項１５に記載のパワー・システム。
【請求項１７】
高電流電気エネルギーのショート・バーストをデリバリするための電気的パワーの源が、
１００Ａから１，０００，０００Ａ、  １ｋＡから１００，０００ｋＡ、  １０ｋＡから５０ｋＡの少なくとも１つの範囲内にある電流の高ＡＣ、ＤＣ、又はＡＣ−ＤＣ混合を引き起こすため選択される電圧と；
１００Ａ／ｃｍ２から１，０００，０００Ａ／ｃｍ２、  １０００Ａ／ｃｍ２から１００，０００Ａ／ｃｍ２、  及び２０００Ａ／ｃｍ２から５０，０００Ａ／ｃｍ２  の少なくとも１つの範囲内にあるＤＣ又はピークＡＣ電流密度と；
電圧が固体燃料又はエネルギー物質の導電率によって決定され、ここで、その電圧が、固体燃料又はエネルギー物質サンプルの抵抗に所望の電流を掛け算することにより与えられることと；
０．１Ｖから５００ｋＶ、  ０．１Ｖから１００ｋＶ、  及び１Ｖから５０ｋＶ  の少なくとも１つの範囲内にあるＤＣ又はピークＡＣ電圧と；及び
０．１Ｈｚから１０ＧＨｚ、  １Ｈｚから１ＭＨｚ、  １０Ｈｚから１００ｋＨｚ、  及び１００Ｈｚから１０ｋＨｚ  の少なくとも１つの範囲内にあるＡＣ周波数、の少なくとも１つを含むことを特徴とする請求項１６に記載のパワー・システム。
【請求項１８】
その点火システムが、電気的パワーの源、バスバー、スリップリング、シャフト、軸受、電極、ベアリング構造支持体、ベース支持体、ローラー・ドライブ・プーリ、モーター・ドライブ・プーリ、ベルト、ベルト・テンショナー、電動機軸、ローラー・プーリ・ベアリング、モーター・ベアリング、及び、少なくとも１つのモーターを含む、請求項１５に記載のパワー・システム。
【請求項１９】
そのスラリーが金属及び水和物の少なくとも１つを含むことを特徴とする請求項１５に記載のパワー・システム。
【請求項２０】
反応パワー出力の少なくとも１つのパワー・コンバーターは、光起電力コンバーター、光電子コンバーター、プラズマダイナミック・コンバーター、熱電子コンバーター、熱電コンバーター、スターリング・エンジン、ブレイトン・サイクルエンジン、ランキン・サイクルエンジン、及び、熱エンジン  のグループの少なくとも１つ又はそれ以上を含むことを特徴とする請求項１５に記載のパワー・システム。
【請求項２１】
反応物の生成物を回収するシステムが、水ジェット及びスラリー樋を含むことを特徴とする請求項１５に記載のパワー・システム。
【請求項２２】
反応生成物から初期反応物を再生してスラリーを形成するためのシステムが、ふるい、メッシュ、又はフィルタの少なくとも１つ、スラリー樋の壁に水吸引ポンプの少なくとも１つ、ロータリー・ポンプ・デリバリのらせん状の刃先を含むことを特徴とする請求項１５に記載のパワー・システム。
【請求項２３】
請求項１のパワー・システムであって、
少なくとも１つの槽は、大気圧より低い圧力が可能であり；
少なくとも１つのショット噴射システムは、少なくとも１つの増大されたレールガンを含み、ここで、その増大されたレールガンが、レールの面に垂直な磁場を生成する磁石及び分離された電気の流れているレールを含み、及び、そのレールの間の回路が、そのレールとそのショットの接触によりクローズされるまでオープンであり；
少なくとも１つの点火システムは、
ａ）そのショットを閉じ込めるための少なくとも１つのセットの電極、及び
ｂ）高電流の電気エネルギーのショート・バーストをデリバリするための電気的パワーの源を含み、
その少なくとも１つのセットの電極は、オープン回路を形成し、ここで、そのオープン回路は点火を達成するため高電流が流れることを惹起するショットの噴射によってクローズされ、そして、高電流の電気的エネルギーのショート・バーストをデリバリする電気的パワーの源が、
１００Ａから１，０００，０００Ａ、  １ｋＡから１００，０００Ａ、  １０ｋＡから５０ｋＡ  の少なくとも１つの範囲内にある電流の高ＡＣ、ＤＣ、又はＡＣ−ＤＣ混合を引き起こすように選択される電圧；
１００Ａ／ｃｍ２から１，０００，０００Ａ／ｃｍ２、  １０００Ａ／ｃｍ２から１００，０００Ａ／ｃｍ２、  及び２０００Ａ／ｃｍ２から５０，０００Ａ／ｃｍ２  の少なくとも１つの範囲内にあるＤＣ又はピークＡＣ電流密度；
電圧が、固体燃料又はエネルギー物質の導電率によって決定され、その電圧が、固体燃料又はエネルギー物質サンプルの抵抗に所望の電流を掛け算することにより与えられること；
０．１Ｖから５００ｋＶ、  ０．１Ｖから１００ｋＶ、  及び１Ｖから５０ｋＶ  の少なくとも１つの範囲内にＤＣ又はピークＡＣ電圧があること；及び
０．１Ｈｚから１０ＧＨｚ、  １Ｈｚから１ＭＨｚ、  １０Ｈｚから１００ｋＨｚ、  及び１００Ｈｚから１０ｋＨｚ  の少なくとも１つの範囲内にＡＣ周波数があること；  の少なくとも１つを含み、
反応物の反応生成物を回収するシステムは、点火電極のベクトルのクロス積の電流要素及び磁場を提供する少なくとも１つの磁石を含む増大されたプラズマ・レールガン・リカバリ・システム及び重力の少なくとも１つを含み；
少なくとも１つの再生システムは、溶融された反応物を形成する溶鉱炉を含むペレタイザーと、その溶融された反応物にＨ２及びＨ２Ｏを添加するシステムと、溶融ドリッパー、及び、ショットを形成するための水リザーバーと、を含み、そして、
出力システム又はパワー・コンバータの少なくとも１つは、光起電力コンバーター、光電子コンバーター、プラズマダイナミック・コンバーター、熱電子コンバーター、熱電コンバーター、スターリング・エンジン、ブレイトン・サイクルエンジン、ランキン・サイクルエンジン、及び、熱エンジンのグループの少なくとも１つ又はそれ以上と、及び、ヒーターと；  を含む、
パワー・システム。